(57)【要約】【課題】  電動機軸受部を保持することで機器に取り付けられる電動機において、軸受部ユニットが絞り加工で成型された場合、電動機を保持する為の突起の寸法・形状が制限されてしまうため、機器側の電動機保持部形状も制限される。【解決手段】  出力軸支承部ユニットを構成するカバーの鍔部３５に切り欠き３６を設け、切り欠き部から円柱状、もしくは多角柱状の突起３７を有した電動機アタッチメントのフック部３８を挿入し、回転させて固定することで、機器側の電動機保持部形状を自由に設計できる電動機を提供する。【選択図】図６
2010035267.tif 000002
【特許請求の範囲】
【請求項１】
電動機において、この電動機の出力軸を支承する出力軸支承部ユニットと、この出力軸支承部ユニットの前記出力軸の突出方向側に配設されかつ嵌合され、さらにこの電動機を保持及び固定する電動機アタッチメントとを有する電動機であり、この電動機アタッチメントには、前記出力軸が挿通される挿通孔と、この挿通孔の内壁面と前記出力軸とが離間して接しない構成と、前記出力軸の先端が前記挿通孔から突出する構成とを具備する電動機。
【請求項２】
請求項１記載の電動機において、略放射状に配置された複数のティースと、前記ティースを外周部で連結するヨークと、前記ティース先端に設けられたティース先端幅広部と、隣り合う前記ティース先端幅広部との間に設けられたスロットオープンとを有するステータコアと、前記ティースに絶縁物を介して巻装された巻線とからなるステータと、前記ステータ内周にわずかな空隙を介して対向して回転自在に保持されるとともに、複数極に着磁された永久磁石を少なくとも有するロータとで構成される電動機であり、前記ロータを保持するための出力軸支承部ユニットが、底カバーと、この底カバー上に配置する軸受と、この軸受を押圧する弾性体と、前記底カバー、前記軸受及び弾性体を被って前記底カバーの被嵌合部が圧入される蓋カバーとからなる構成を具備する電動機。
【請求項３】
出力軸支承部ユニットの蓋カバーは鍔を有し、この鍔には切欠き部を有し、前記切欠き部から電動機アタッチメントを挿入し、前記電動機アタッチメントを出力軸を略中心とする仮想軸を中心として回転動作を行い嵌合させて固定する構成を具備する請求項１又は請求項２記載の電動機。
【請求項４】
出力軸支承部ユニットの蓋カバーは鍔を有し、この鍔には切欠き部を有し、この切欠き部から円柱状の突起部を有した電動機アタッチメントを挿入し、この電動機保持用アタッチメントを出力軸を略中心とする仮想軸を中心として回転動作を行い嵌合させて固定する構成を具備する請求項１又は請求項２記載の電動機。
【請求項５】
出力軸支承部ユニットの蓋カバーは鍔を有し、この鍔には切欠きを有し、前記切欠き部から多角柱状の突起部を有した電動機保持用アタッチメントを挿入し、前記電動機保持用アタッチメントを出力軸を略中心とする仮想軸を中心として回転動作を行い嵌合させて固定する構成を具備する請求項１又は請求項２記載の電動機。
【請求項６】
請求項１乃至請求項５のいずれかに記載の電動機において、ティースに絶縁物を介して巻装された巻線の芯線部の材質が、少なくとも銅及びアルミニウムを含む合金、微量な不純物を含むアルミニウム又はアルミニウム合金からなる電動機。
【請求項７】
請求項６記載の電動機の、電動機アタッチメントの各々の突起部に、前記突起部に挿通される緩衝体を介して機器装着用固定具を具備させた電動機ユニット。
【請求項８】
請求項７記載の電動機ユニットの出力軸の先端部側から装着される回転翼を具備する送風装置。
【請求項９】
請求項８記載の送風装置を具備する電気機器。
【発明の詳細な説明】
【技術分野】
【０００１】
本発明は、電気機器、例えば冷蔵庫に搭載され、機器の送風用のファン（回転翼）を駆動するための電動機及びブラシレスモータに関する。
【背景技術】
【０００２】
例えば、図１０に従来の電動機を示している。従来の電動機は図１０に示すように、ステータ１０１とロータ１０２、及び前記ロータ１０２を保持するため出力軸支承部ユニット１０３から構成されている。また図１１に出力軸支承部ユニット１０３の詳細を示す。
【０００３】
図１１に示すように出力軸支承部ユニット１０３は、底カバー１１１に、ロータ１０２を保持するための軸受１１２、前記軸受を保持するための弾性体（バネ）１１３をのせ、蓋カバー１１４を圧入することで構成される。（例えば特許文献１）
電動機を機器に取り付ける際、前記底カバーに設けられた突起１１５を保持することで、電動機を取り付けている。
【特許文献１】特開２００３−３１９６１５号公報
【発明の開示】
【発明が解決しようとする課題】
【０００４】
電動機軸受部を保持することで機器に取り付けられる電動機において、軸受部ユニットが絞り加工で成型された場合、電動機を保持する為の突起の寸法・形状が制限されてしまうため、機器側の電動機保持部形状も制限される。
【０００５】
したがって、本件出願の発明が解決しようとする課題は、従来の電動機の機器への取付の不具合や手間を解消する構成を具現化することである。
【課題を解決するための手段】
【０００６】
上記従来の課題を解決するために、本件出願に係る第１の発明は、電動機において、この電動機の出力軸を支承する出力軸支承部ユニットと、この出力軸支承部ユニットの前記出力軸の突出方向側に配設されかつ嵌合され、さらにこの電動機を保持及び固定する電動機アタッチメントとを有する電動機であり、この電動機アタッチメントには、前記出力軸が挿通される挿通孔と、この挿通孔の内壁面と前記出力軸とが離間して接しない構成と、前記出力軸の先端が前記挿通孔から突出する構成とを具備する電動機である。
【０００７】
また、本件出願に係る第２の発明は、第１の発明の電動機において、略放射状に配置された複数のティースと、前記ティースを外周部で連結するヨークと、前記ティース先端に設けられたティース先端幅広部と、隣り合う前記ティース先端幅広部との間に設けられたスロットオープンとを有するステータコアと、前記ティースに絶縁物を介して巻装された巻線とからなるステータと、前記ステータ内周にわずかな空隙を介して対向して回転自在に保持されるとともに、複数極に着磁された永久磁石を少なくとも有するロータとで構成される電動機であり、前記ロータを保持するための出力軸支承部ユニットが、凹状部を有する底カバーと、この底カバー上に配置する軸受と、この軸受を押圧する弾性体（バネ等）と、前記底カバー、前記軸受及び弾性体（バネ）を被って前記底部カバーの被嵌合部が圧入される蓋カバーとからなる構成を具備する電動機である。蓋カバーは、帽子の鍔が円環状に張り出した形状であるが、特にこの様態に特定されるものではない。
【０００８】
また、本件出願に係る第３の発明は、第１又は第２の発明において、出力軸支承部ユニットの蓋カバーは鍔を有し、この鍔には切欠き部を有し、前記切欠き部から電動機アタッチメントを挿入し、前記電動機アタッチメントを出力軸を略中心とする仮想軸を中心として回転動作を行い嵌合させて固定する構成を具備する電動機である。
【０００９】
また、本件出願に係る第４の発明は、第１又は第２の発明において、出力軸支承部ユニットの蓋カバーは鍔を有し、この鍔には切欠き部を有し、この切欠き部から円柱状の突起部を有した電動機アタッチメントを挿入し、この電動機保持用アタッチメントを出力軸を略中心とする仮想軸を中心として回転動作を行い嵌合させて固定する構成を具備する電動機である。
【００１０】
また、本件出願に係る第５の発明は、第１又は第２の発明において、出力軸支承部ユニットの蓋カバーは鍔を有し、この鍔には切欠きを有し、前記切欠き部から多角柱状の突起部を有した電動機保持用アタッチメントを挿入し、前記電動機保持用アタッチメントを出力軸を略中心とする仮想軸を中心として回転動作を行い嵌合させて固定する構成を具備する電動機である。
【００１１】
また、本件出願に係る第６の発明は、第１〜第５の発明の電動機において、ティースに絶縁物を介して巻装された巻線の芯線部の材質が、少なくとも銅及びアルミニウムを含む合金、微量な不純物を含むアルミニウム又はアルミニウム合金からなる電動機である。
【００１２】
また、本件出願に係る第７の発明は、第１〜第６の発明の電動機を具備する電動機ユニットであり、電動機アタッチメントの各々の突起部に、前記突起部に挿通される緩衝体を介して機器装着用固定具を具備させた電動機ユニットである。
【００１３】
また、本件出願に係る第８の発明は、第７の発明の電動機ユニットを具備する送風装置であり、電動機ユニットの出力軸の先端部側から装着される回転翼を具備する送風装置である。
【００１４】
また、本件出願に係る第９の発明は、第８の発明の送風装置を具備する電気機器である。
【発明の効果】
【００１５】
本発明によれば、機器側の電動機保持部形状に応じた電動機アタッチメントを具備する電動機を提供でき、機器側における電動機保持部形状も選択枝が広がり機器性能を高めることが可能となり、産業的価値は大なるものである。
【発明を実施するための最良の形態】
【００１６】
以下本発明を実施するための最良の形態を、図面を参照しながら説明する。
【００１７】
（実施例１）
図１は、本発明の第１の実施例を適応した電動機を示している。本発明の電動機は図１に示すように、ステータ１とロータ２、及び出力軸支承部ユニット（軸受ユニット）３で構成される。また図２、３に前記出力軸支承部ユニット３の詳細を示す。
【００１８】
図２に示すように出力軸支承部ユニット３は、凹状部を有する底カバー（下カバー）１１に、ロータ２を保持するための軸受１２、前記軸受を保持するための弾性体（バネ等）１３を収納し、蓋カバー（上カバー）１４を圧入することで構成される。具体的には、軸受１２及び弾性体（バネ等）１３を被って底部カバー１１の被嵌合部が蓋カバー１４へ圧入される。なお、蓋カバー１４は、帽子の鍔が円環状に張り出した形状であるが、特にこの様態に特定されるものではない。
【００１９】
図３に示すように、蓋カバー１４には鍔１５が設けられており、鍔部１５には切り欠き１６が施されている。なお、図３を斜視図とした都合、図３は図２に対して上下を逆に描いている。このため、図３の描画における上下方向と、底カバー（下カバー）１１と、蓋カバー（上カバー）１４との上下の位置が相違している。同様に、以下で説明する図４、図６、図７及び図９も図３の描画における上下方向と、底カバー（下カバー）と、蓋カバー（上カバー）との上下の位置が相違している。
【００２０】
本発明の電動機の様態であるが、上記の電動機の外装として樹脂モールドを施す。具体的には、プリント基板に電動機の駆動コイルを備えたステータ１を取付け、プリント基板におけるステータの外側の部品実装スペースに、ＡＣ電源をＤＣ電源化する整流部と、平滑用のコンデンサ部品と、制御用部品と、電流ヒューズ部品を配置し、これらの各部品をプリント基板のプリント回路に電気的に接続し、不飽和ポリエステルなどのモールド材によりモールドして各部品とプリント基板を一体化する構成である。
【００２１】
そして、ステータ１が形成する中空部に電動機のロータ２を配置するとともに、前記中空部の両端部に圧入した出力軸支承部ユニット３によりロータ２を回転自在に保持して構成する。ティースに絶縁物を介して巻装された巻線の芯線部の材質には、従来は銅又は銅合金を用いていたが、省資源、資源枯渇及び経済性の観点で、ティースに絶縁物を介して巻装された巻線の芯線部の材質には、少なくとも銅及びアルミニウムを含む合金、微量な不純物を含むアルミニウム又はアルミニウム合金を採用しても良い。
【００２２】
そして、電動機アタッチメントの各々の突起部には、前記突起部に挿通される緩衝体を介して機器装着用固定具を具備させて電動機ユニットを構成する。さらに、電動機ユニットの出力軸の先端部側から回転翼を装着して、送風装置を構成する。この送風装置は、冷蔵庫などの機器の庫内等に組み込まれる。
【００２３】
（実施例２）
図４は、本発明の第２の実施例を適応した電動機を示している。本発明の電動機は図４に示すように、ステータ２１とロータ２２、及び電動機アタッチメント（保持用カバー）２３を付けた出力軸支承部ユニット２４で構成される。また図５、６に前記出力軸支承部ユニット２４の詳細を示す。
【００２４】
図５に示すように出力軸支承部ユニット２４は、凹部を有する底カバー３１に、ロータ２２を保持するための軸受３２、前記軸受を保持するための弾性体（バネ等）３３をのせ、蓋カバー３４を圧入することで構成される。
【００２５】
図６に示すように、前記蓋カバー３４には鍔３５が設けられ、前記鍔部３５には切り欠き３６が施されており、前記切り欠き部３６から円柱状の突起３７を有する電動機アタッチメント（保持用カバー）２３のフック３８を挿入し回転させて固定させて取り付ける。また図５に示すように、底カバー３１の突起３９に沿うように電動機アタッチメントに突起４０を設けると、電動機アタッチメント２３と底カバー３１の同軸度の精度を高めることが出来る。
【００２６】
前記電動機アタッチメント（保持用カバー）付の出力軸支承部ユニットを、前記ステータに圧入することで、機器側の電動機保持部形状に応じた電動機を提供することが出来る。
【００２７】
（実施例３）
図７は、本発明の第３の実施例を適応した電動機を示している。本発明の電動機は図７に示すように、ステータ４１とロータ４２、及び電動機アタッチメント４３を付けた出力軸支承部ユニット４４で構成される。また図８、９に前記出力軸支承部ユニット４４の詳細を示す。
【００２８】
図８に示すように出力軸支承部ユニット４４は、底カバー５１に、ロータ５２を保持するための軸受５２、前記軸受を保持するための弾性体（バネ等）５３をのせ、蓋カバー５４を圧入することで構成される。
【００２９】
図９に示すように、前記蓋カバー５４には鍔５５が設けられ、前記鍔部５５には切り欠き５６が施されており、前記切り欠き部５６から多角柱状の突起５７を有する電動機アタッチメント４３のフック５８を挿入し回転させて固定させて取り付ける。また図８に示すように、前記底カバー５１の突起５９に沿うように電動機アタッチメントに突起６０を設けると、電動機アタッチメント４３と底カバー５１の同軸度の精度を高めることが出来る。
【００３０】
前記電動機アタッチメント（保持用カバー）付の出力軸支承部ユニット（軸受ユニット）を、前記ステータに圧入することで、機器側の電動機保持部形状に応じた電動機を提供することが出来る。
【産業上の利用可能性】
【００３１】
本発明は、軸受部を保持することによって機器に取り付ける電動機に有効である。
【図面の簡単な説明】
【００３２】
【図１】本発明の実施例１における電動機の外観図
【図２】本発明の実施例１における出力軸支承部ユニットの断面図
【図３】本発明の実施例１における出力軸支承部ユニットの外観図
【図４】本発明の実施例２における電動機の外観図
【図５】本発明の実施例２における出力軸支承部ユニットの断面図
【図６】本発明の実施例２における出力軸支承部ユニットの外観図
【図７】本発明の実施例３における電動機の外観図
【図８】本発明の実施例３における出力軸支承部ユニットの断面図
【図９】本発明の実施例３における出力軸支承部ユニットの外観図
【図１０】従来の電動機外観図
【図１１】従来の出力軸支承部ユニット（軸受ユニット）断面図
【符号の説明】
【００３３】
１      ステータ
２      ロータ
３      出力軸支承部ユニット（軸受ユニット）
１１    底カバー（下カバー）
１２    軸受
１３    弾性体（バネ）
１４    蓋カバー（上カバー）
１５    蓋カバーの鍔部
１６    蓋カバーの切り欠き部
２１    ステータ
２２    ロータ
２３    電動機アタッチメント（保持用カバー）
２４    出力軸支承部ユニット（軸受ユニット）
３１    底カバー（下カバー）
３２    軸受
３３    弾性体（バネ）
３４    蓋カバー
３５    蓋カバーの鍔部
３６    蓋カバーの切り欠き部
３７    電動機アタッチメントの円柱状突起
３８    電動機アタッチメントのフック
３９    底カバー（下カバー）突起
４０    電動機アタッチメントの突起
４１    ステータ
４２    ロータ
４３    電動機アタッチメント
４４    出力軸支承部ユニット
５１    底カバー
５２    軸受
５３    弾性体（バネ）
５４    蓋カバー
５５    蓋カバーの鍔部
５６    蓋カバーの切り欠き部
５７    電動機アタッチメントの多角柱状突起
５８    電動機アタッチメントのフック部
５９    底カバーの突起部
６０    電動機アタッチメント突起部
１０１  ステータ
１０２  ロータ
１０３  出力軸支承部ユニット
１１１  底カバー
１１２  軸受
１１３  弾性体（バネ）
１１４  蓋カバー
１１５  底カバーの突起部
【図１】
2010035267.tif 000003
【図２】
2010035267.tif 000004
【図３】
2010035267.tif 000005
【図４】
2010035267.tif 000006
【図５】
2010035267.tif 000007
【図６】
2010035267.tif 000008
【図７】
2010035267.tif 000009
【図８】
2010035267.tif 000010
【図９】
2010035267.tif 000011
【図１０】
2010035267.tif 000012
【図１１】
2010035267.tif 000013